(57)【要約】【課題】ユーザがガンマ線検出器と被検体の位置を目視しながら精度良く撮影範囲の位置決めを行なうことができるよう支援することができる核医学診断装置を提供する。【解決手段】本発明の一実施形態に係る核医学診断装置は、ガンマ線を検出する検出器と、前記検出器に入射する前記ガンマ線をコリメートするコリメータと、前記コリメータの一面に設けられ、撮影範囲に関する情報を提示する提示部と、を備える。【選択図】  図２
2019020321.tif 000002
【特許請求の範囲】
【請求項１】
ガンマ線を検出する検出器と、
前記検出器に入射する前記ガンマ線をコリメートするコリメータと、
前記コリメータの一面に設けられ、撮影範囲に関する情報を提示する提示部と、
を備えた核医学診断装置。
【請求項２】
前記提示部は、
前記撮影範囲に対応する前記コリメータの面上の範囲を発光させることにより、被検体の体表面における前記撮影範囲を提示する、
請求項１記載の核医学診断装置。
【請求項３】
前記提示部は、
被検体に対する前記コリメータの位置を取得し、前記撮影範囲に対応する前記コリメータの面上の範囲に、前記コリメータでの収集位置と大きさに対応する前記被検体の医用画像を表示させる、
請求項１または２に記載の核医学診断装置。
【請求項４】
前記医用画像は、Ｘ線ＣＴ画像または磁気共鳴イメージング画像である、
請求項３記載の核医学診断装置。
【請求項５】
前記提示部は、
移動可能な複数のポインタから構成され、当該複数のポインタによって規定される領域によって前記撮影範囲を提示する、
請求項１ないし４のいずれか１項に記載の核医学診断装置。
【請求項６】
前記提示部は、
発光および表示を行なうディスプレイと入力を受け付けるタッチセンサとを有するタッチパネルを含み、前記タッチセンサを介して操作者による撮影条件の入力を受け付ける、
請求項１ないし５のいずれか１項に記載の核医学診断装置。
【請求項７】
ガンマ線を検出する検出器と、
前記検出器に入射する前記ガンマ線をコリメートするコリメータと、
前記コリメータの一面に設けられ、撮影範囲の入力を受け付ける入力部と、
を備えた核医学診断装置。
【請求項８】
前記入力部は、
移動可能な複数のポインタから構成され、当該複数のポインタによって規定される領域を前記撮影範囲として受け付ける、
請求項７記載の核医学診断装置。
【請求項９】
前記複数のポインタは、複数の棒状のポインタであり、
前記入力部は、
前記複数の棒状のポインタが囲む領域を前記撮影範囲として受け付ける、
請求項８記載の核医学診断装置。
【請求項１０】
前記入力部は、
タッチパネルを含み、操作者により前記タッチパネル上の範囲が指定されると、この指定された範囲を前記撮影範囲として受け付ける、
請求項７記載の核医学診断装置。
【請求項１１】
前記入力部は、
タッチパネルを介して操作者による撮影条件の入力を受け付ける、
請求項１０記載の核医学診断装置。
【請求項１２】
前記検出器の側面または前記コリメータの枠体に設けられ、操作者による撮影条件の入力を受け付ける第２の入力部、
をさらに備えた請求項１ないし１１のいずれか１項に記載の核医学診断装置。
【発明の詳細な説明】
【技術分野】
【０００１】
本発明の実施形態は、核医学診断装置に関する。
【背景技術】
【０００２】
核医学検査において、ガンマ線検出器と被検体の位置をユーザが目視しながら撮影範囲の位置決めが行われる。あらかじめ放射性医薬品が被検体に投与されていれば、まず対象臓器を含むパーシスト画像を取得し、パーシスト画像中の注目する対象臓器部分を改めて撮像範囲として被検体から離れた位置に設置されたコンソールで指定することができる。
【０００３】
しかし、動態検査で放射性医薬品が被検体に投与される前に撮像範囲の位置決めが必要である場合は、パーシスト画像を利用することはできず、位置決めが難しい。また、注目する臓器を詳細に撮像するためにガンマ線検出器上の一部分を拡大して収集する拡大撮影を行う場合や、半導体検出器などの視野が狭いガンマ線検出器が用いられる場合も、わずかな位置ずれが大きな画像ずれを生むため、位置決めすることは難しい。
【０００４】
このような位置決めが難しい場合には、一般に、ユーザは、被検体の外観から推定される臓器位置の近傍位置にガンマ線検出器を近接させ、ガンマ線検出器と対象部位の相対関係を目視することによって位置決めを行うことになる。
【先行技術文献】
【特許文献】
【０００５】
【特許文献１】特開２００５−１４７７９６号公報
【発明の概要】
【発明が解決しようとする課題】
【０００６】
本発明が解決しようとする課題は、ユーザがガンマ線検出器と被検体の位置を目視しながら精度良く撮影範囲の位置決めを行なうことができるよう支援することができる核医学診断装置を提供することである。
【課題を解決するための手段】
【０００７】
本発明の一実施形態に係る核医学診断装置は、上述した課題を解決するために、核医学診断装置は、ガンマ線を検出する検出器と、前記検出器に入射する前記ガンマ線をコリメートするコリメータと、前記コリメータの一面に設けられ、撮影範囲に関する情報を提示する提示部と、を備えたものである。
【図面の簡単な説明】
【０００８】
【図１】本発明の一実施形態に係る核医学診断装置の一例を示すブロック図。
【図２】（ａ）は提示部として発光装置を備えたコリメータの一例を示す正面図、（ｂ）はその側面図。
【図３】（ａ）は提示部として画像表示装置を備えたコリメータの一例を示す正面図、（ｂ）はその斜視図。
【図４】（ａ）は提示部として移動可能な棒状ポインタを複数備えたコリメータの一例を示す正面図、（ｂ）はその斜視図、（ｃ）は提示部として移動可能な面状ポインタを備えたコリメータの一例を示す正面図。
【図５】提示部としてタッチパネルを備えたコリメータの一例を示す正面図。
【図６】入力部として移動可能な棒状ポインタを複数備えたコリメータの一例を示す説明図。
【図７】入力部としてタッチパネルを備えたコリメータの一例を示す正面図。
【図８】操作者による撮影条件等の入力を受け付ける第２の入力部について説明するための図。
【発明を実施するための形態】
【０００９】
本発明に係る核医学診断装置の実施の形態について、添付図面を参照して説明する。本実施形態に係る核医学診断装置は、シンチグラフィを行なうためのガンマ線検出器を備えた各種装置に適用することが可能である。以下の説明では、本発明に係る核医学診断装置として２検出器型のガンマ線検出器回転型のＳＰＥＣＴ装置を用いる場合の一例について示す。なお、ガンマ線検出器回転型ＳＰＥＣＴ装置としては、ガンマ線検出器が１つまたは３以上のものであってもよい。
【００１０】
（全体構成）
図１は、本発明の一実施形態に係る核医学診断装置１の一例を示すブロック図である。核医学診断装置１は、スキャナ装置２およびコンソール３を有する。なお、本実施形態では、床面に対し垂直である軸方向をｙ軸方向、天板２４の長手方向をｚ軸方向、ｚ軸方向に直交し、床面に対し水平である軸方向をｘ軸方向とそれぞれ定義するものとする（図１参照）。 
【００１１】
スキャナ装置２は、ガンマ線検出器１１および１２と、ガンマ線検出器１１および１２のそれぞれに着脱自在に設けられた２つのコリメータ１３および１４と、回転架台１５と、固定架台１６と、回転駆動装置２１と、データ収集回路２２と、寝台装置２３とを有する。
【００１２】
ガンマ線検出器１１および１２は、回転架台１５に保持される。回転架台１５が回転駆動装置２１を介して所定の回転軸ｒの周り（ｚ軸周り）に回転することにより、２つのガンマ線検出器１１および１２は一体として回転軸ｒの周りを回転する。回転架台１５は、固定架台１６に対して回転可能に支持された回転板を有する。ガンマ線検出器１１および１２は、この回転架台１５の回転板に保持される。固定架台１６は、土台に固定された筐体で構成される。回転架台１５および固定架台１６は、たとえば架台カバーにより覆われる。回転架台１５、固定架台１６、およびこれらを覆う架台カバーの中央部分には、撮像領域を内包する開口が設けられる。
【００１３】
ガンマ線検出器１１は、被検体（たとえば患者）Ｐに投与されたテクネシウムなどのＲＩ（放射性同位元素）から放射されるガンマ線を検出する。なお、ガンマ線検出器１２はガンマ線検出器１１と同様の構成および作用を有するため、説明を省略する。ガンマ線検出器１１は、シンチレータ型検出器であってもよいし、半導体型検出器であってもよい。
【００１４】
ガンマ線検出器１１がシンチレータ型検出器である場合は、ガンマ線検出器１１は、ガンマ線の入射角度を規定するためのコリメータ１３と、コリメータ１３によってコリメートされたガンマ線が入射すると瞬間的な閃光を発するシンチレータと、ライトガイドと、シンチレータから射出された光を検出する２次元に配列された複数の光電子増倍管と、シンチレータ用電子回路などを有する。シンチレータは、たとえばタリウム活性化ヨウ化ナトリウムＮａＩ（Ｔｌ）により構成される。
【００１５】
シンチレータ用電子回路は、ガンマ線が入射する事象（イベント）が発生するごとに、複数の光電子増倍管の出力にもとづいて複数の光電子増倍管により構成される検出面内におけるガンマ線の入射位置情報（位置情報）、入射強度情報および入射時刻情報を生成しコンソール３の処理回路３５に出力する。この位置情報は、検出面内の２次元座標の情報であってもよいし、あらかじめ検出面を複数の分割領域（１次セル）に仮想的に分割しておき（たとえば１０２４×１０２４個に分割しておき）、どの１次セルに入射があったかを示す情報であってもよい。
【００１６】
一方、ガンマ線検出器１１が半導体型検出器である場合は、ガンマ線検出器１１は、コリメータ１３と、コリメータ１３によりコリメートされたガンマ線を検出するための２次元に配列された複数のガンマ線検出用半導体素子（以下、半導体素子という）と、半導体用電子回路などを有する。半導体素子は、たとえばＣｄＴｅやＣｄＺｎＴｅ（ＣＺＴ）により構成される。
【００１７】
半導体用電子回路は、ガンマ線が入射する事象（イベント）が発生するごとに、半導体素子の出力にもとづいて入射位置情報、入射強度情報および入射時刻情報を生成して処理回路３５に出力する。この位置情報は、複数の半導体素子（たとえば１０２４×１０２４個）のうちのどの半導体素子に入射したかを示す情報である。
【００１８】
すなわち、ガンマ線検出器１１は、イベントごとに入射位置情報、入射強度情報および入射時刻情報を出力する。また、位置情報は、１次セルのどの位置にガンマ線が入射したかを示す情報および検出面内の２次元座標の情報の少なくとも一方である。
【００１９】
ガンマ線検出器１１および１２は、処理回路３５により撮像タイミングを制御される。
【００２０】
コリメータ１３および１４はそれぞれ、鉛やタングステンなどの放射線を透過しづらい物質により構成され、光子が飛来する方向を規制するための複数の孔が設けられる。この孔は、たとえば六角形などの多角形形状を有する。
【００２１】
コリメータ１３および１４の少なくとも一方の一面には、撮影範囲を提示するための提示部および撮影範囲を設定するための入力部の少なくとも一方が設けられる。提示部の構成例については、以下の第１実施形態で、入力部の構成例については第２実施形態で、それぞれ後述する。
【００２２】
回転駆動装置２１は、回転架台１５を所定の回転軸（ｚ軸）の周りに高速回転させるためのモータなどの回転手段、回転手段の回転を制御するための電子部品、および回転手段の回転を回転架台１５に伝達するローラなどの伝達手段などを有する。回転駆動装置２１は、データ収集回路２２を介して処理回路３５に制御されて、回転架台１５を所定の回転軸（ｚ軸）の周りに回転させる。たとえば、処理回路３５は、回転架台１５を介してガンマ線検出器１１および１２を被検体Ｐの周りに連続にあるいはステップ的に回転させることにより、複数方向からの被検体の投影データを収集することが可能である。
【００２３】
データ収集回路２２は、たとえばプリント回路基板により構成され、処理回路３５により制御されて、ガンマ線検出器１１および１２、回転駆動装置２１および天板駆動装置２５を制御することにより、被検体Ｐの撮像を実行する。
【００２４】
データ収集回路２２は、ガンマ線検出器１１および１２のそれぞれの出力をたとえばリストモードで収集する。リストモードでは、ガンマ線の検出位置情報、強度情報、ガンマ線検出器１１および１２と被検体Ｐとの相対位置を示す情報（ガンマ線検出器１１および１２の位置や角度など）、およびガンマ線の検出時刻がガンマ線の入射イベントごとに収集される。
【００２５】
寝台装置２３は、天板２４と、天板駆動装置２５とを有する。被検体Ｐは、天板２４に載置される。天板駆動装置２５は、データ収集回路２２を介して処理回路３５に制御されて、天板２４を移動させる。具体的には、天板駆動装置２５は、天板２４をｚ軸方向やｘ軸方向に沿って移動させる駆動源としてのモータ、およびこのモータを制御するための電子部品などを有する。また、天板駆動装置２５は、天板２４を昇降させる駆動源としてのモータ、およびこのモータを制御するための電子部品などを有する。
【００２６】
また、スキャナ装置２は、天板２４の短手方向に沿った軸（ｘ軸）回りにガンマ線検出器１１ごとコリメータ１３を傾動させるコリメータ駆動装置２６を備えてもよい。コリメータ駆動装置２６はたとえば、天板２４の短手方向に沿った軸（ｘ軸）回りにガンマ線検出器１１を回転させるためのモータなどの回転手段、回転手段の回転を制御するための電子部品などを有する。また、コリメータ駆動装置２６は、コリメータ１４もガンマ線検出器１２ごと傾動させてもよい。
【００２７】
一方、核医学診断装置１のコンソール３は、たとえば一般的なパーソナルコンピュータやワークステーションなどにより構成され、入力回路３１、ディスプレイ３２、記憶回路３３、ネットワーク接続回路３４および処理回路３５を有する。なお、コンソール３は独立して設けられずともよく、たとえばコンソール３の構成３１−３５の一部が固定架台１６に分散して設けられてもよい。
【００２８】
入力回路３１は、たとえばトラックボール、スイッチボタン、マウス、キーボード、テンキーなどの一般的な入力装置により構成され、ユーザの操作に対応した操作入力信号を処理回路３５に出力する。たとえば、ユーザは、入力回路３１を介して撮像対象部位や検査で用いる放射性同位元素を指定することができる。
【００２９】
また、コンソール３の入力回路３１は、コリメータ１３およびコリメータ１４の撮影範囲の情報を受け付ける。受け付けられた撮影範囲は、コリメータ１３および１４の少なくとも一方の一面に設けられた提示部を介してユーザに提示される。
【００３０】
コンソール３のディスプレイ３２は、たとえば液晶ディスプレイやＯＬＥＤ（Organic Light Emitting Diode）ディスプレイなどの一般的な表示出力装置により構成される。
【００３１】
記憶回路３３は、磁気的もしくは光学的記録媒体または半導体メモリなどの、プロセッサにより読み取り可能な記録媒体を含んだ構成を有する。記憶回路３３は、処理回路３５により制御されて、表示画素ごとの計数値や核医学画像を記憶する。これら記録媒体内のプログラムおよびデータの一部または全部は電子ネットワークを介した通信によりダウンロードされるように構成してもよい。
【００３２】
また、記憶回路３３は、ネットワーク接続回路３４を介してネットワーク上の画像サーバから取得した、被検体ＰのＸ線ＣＴ（Computed Tomography）画像や磁気共鳴イメージング画像などの医用画像を記憶する。
【００３３】
ネットワーク接続回路３４は、たとえば所定のプリント回路基板を有するネットワークカードなどにより構成され、ネットワークの形態に応じた種々の情報通信用プロトコルを実装する。ネットワーク接続回路３４は、この各種プロトコルに従って核医学診断装置１と他の機器とを接続する。この接続には、電子ネットワークを介した電気的な接続などを適用することができる。ここで電子ネットワークとは、電気通信技術を利用した情報通信網全般を意味し、無線／有線の病院基幹ＬＡＮ（Local Area Network）やインターネット網のほか、電話通信回線網、光ファイバ通信ネットワーク、ケーブル通信ネットワークおよび衛星通信ネットワークなどを含む。
【００３４】
処理回路３５は、記憶回路３３に記憶されたプログラムを読み出して実行することにより、１つの検査で複数のコリメータ特徴量が要求される場合であっても、当該検査の種類に応じて１つのコリメータで好適な位置分解能および感度で撮像するための処理を実行するプロセッサである。
【００３５】
なお、本実施形態において、「プロセッサ」という文言は、たとえば、専用または汎用のＣＰＵ（Central Processing Unit）、ＧＰＵ（Graphics Processing Unit）、または、特定用途向け集積回路（Application Specific Integrated Circuit：ＡＳＩＣ）、プログラマブル論理デバイス（たとえば、単純プログラマブル論理デバイス（Simple Programmable Logic Device：ＳＰＬＤ）、複合プログラマブル論理デバイス（Complex Programmable Logic Device：ＣＰＬＤ）、およびＦＰＧＡ）等の回路を意味するものとする。プロセッサは、記憶媒体に保存されたプログラムを読み出して実行することにより、各種機能を実現する。
【００３６】
また、本実施形態では処理回路の単一のプロセッサが各機能を実現する場合の例について示したが、複数の独立したプロセッサを組み合わせて処理回路を構成し、各プロセッサが各機能を実現してもよい。また、プロセッサが複数設けられる場合、プログラムを記憶する記憶媒体は、プロセッサごとに個別に設けられてもよいし、１つの記憶媒体が全てのプロセッサの機能に対応するプログラムを一括して記憶してもよい。
【００３７】
本実施形態に係る核医学診断装置１は、ユーザがガンマ線検出器と被検体の位置を目視しながら精度良く撮影範囲の位置決めを行なうための手法を提供する。この手法として、第１実施形態に係る核医学診断装置１は、コリメータ１３および１４上の撮影範囲をコリメータ面上で提示する提示部を備える。また、第２実施形態に係る核医学診断装置１は、コリメータ面上でユーザが撮影範囲を設定するための入力部を備える。
【００３８】
まず、第１実施形態に係る核医学診断装置１について説明する。なお、以下の説明では、コリメータ１３の面上に提示部および入力部の少なくとも一方が設けられる場合の例について説明する。
【００３９】
（第１の実施形態）
第１実施形態に係る核医学診断装置１は、コリメータ１３の面上の撮影範囲４０をコリメータ面上で提示する提示部を備える。
【００４０】
図２（ａ）は、提示部として発光装置４１を備えたコリメータ１３の一例を示す正面図であり、（ｂ）はその側面図である。
【００４１】
提示部としてコリメータ１３の一面に発光装置４１を設ける場合、処理回路３５は、撮影範囲４０に対応する領域を発光範囲４２として発光させる。ユーザは、発光範囲４２が発光した発光装置４１が設けられたコリメータ１３を被検体Ｐに近づけることにより、発光した光を被検体Ｐの体表面に照射させることができる。このため、ユーザは、発光範囲４２と撮影部位５０の位置を目視しながら精度良く撮影範囲４０の位置決めを行なうことができる。
【００４２】
発光装置４１は、少なくとも発光範囲４２を制御可能に発光する装置により構成されればよく、たとえば複数の発光ダイオードにより構成されてもよい。また、発光装置４１は、ＯＬＥＤディスプレイや液晶ディスプレイなどのディスプレイにより構成されてディスプレイの面発光を利用してもよいし、タッチパネルにより構成されてタッチパネルのディスプレイの面発光を利用してもよい。
【００４３】
図３（ａ）は、提示部として画像表示装置４３を備えたコリメータ１３の一例を示す正面図であり、（ｂ）はその斜視図である。
【００４４】
提示部としてコリメータ１３の一面に画像表示装置４３を設ける場合、処理回路３５は、ネットワーク接続回路３４を介してネットワーク上の画像サーバ等から取得した被検体ＰのＸ線ＣＴ（Computed Tomography）画像や磁気共鳴イメージング画像などの医用画像４４を、撮影範囲４０に対応する位置に表示させる。ユーザは、撮影範囲４０に対応する位置に医用画像４４が表示された画像表示装置４３が設けられたコリメータ１３を被検体Ｐに近づけることにより、医用画像４４と撮影部位５０の位置を目視しながら精度良く撮影範囲４０の位置決めを行なうことができる。この時、Ｘ線ＣＴ画像や磁気共鳴イメージング画像上で収集位置と撮影範囲４０が分かる様に明示する。方法はＸ線ＣＴ画像や磁気共鳴イメージング画像を同一位置同一範囲になる様に拡大して表示するか、Ｘ線ＣＴ画像や磁気共鳴イメージング画像上に収集位置と撮影範囲が分かる様に矩形ＲＯＩを表示する。
【００４５】
このとき、処理回路３５は、被検体Ｐに対するコリメータ１３の位置を取得し、撮影範囲４０に対応するコリメータ１３面上の位置に、コリメータ１３が現在位置する被検体Ｐの体軸方向（ｚ方向）の位置に対応する被検体Ｐの医用画像を表示させるとよい。この場合、コリメータ１３と被検体Ｐとの体軸方向（ｚ方向）の位置関係の変化に応じて提示部に表示される医用画像４４が変化することになり、位置合わせが容易となる。
【００４６】
画像表示装置４３は、少なくとも医用画像を表示可能な装置により構成されればよく、たとえばＯＬＥＤディスプレイや液晶ディスプレイなどのディスプレイにより構成されてもよいし、タッチパネルにより構成されてタッチパネルのディスプレイの画像表示機能を利用してもよい。
【００４７】
また、画像表示装置４３は、発光装置４１の機能を兼ねてもよい。たとえば画像表示装置４３がＯＬＥＤディスプレイにより構成される場合、撮影範囲４０に対応する位置に対して、たとえばユーザによる設定に応じて医用画像４４の表示（図３（ａ）参照）および同位置の面発光（図２（ａ）参照）のいずれかを行ってもよい。また、所定時間ごとに医用画像４４の表示と面発光とを交互に繰り返してもよい。
【００４８】
図４（ａ）は、提示部として移動可能な棒状ポインタ４５を複数備えたコリメータ１３の一例を示す正面図であり、（ｂ）はその斜視図である。また、図４（ｃ）は、提示部として移動可能な面状ポインタ４６を備えたコリメータ１３の一例を示す正面図である。図４（ｃ）は、図４（ａ）の変形例を示す。
【００４９】
提示部としてコリメータ１３の面上で移動可能な棒状のポインタ４５を複数設ける場合、処理回路３５は、複数の棒状のポインタ４５によって規定される領域が撮影範囲４０に一致するように、ポインタ４５を自動的に移動させる。ユーザは、棒状のポインタ４５が撮影範囲４０を示す位置に移動したコリメータ１３を被検体Ｐに近づけることにより、棒状のポインタ４５により提示された撮影範囲４０に対応する領域と撮影部位５０の位置を目視しながら精度良く撮影範囲４０の位置決めを行なうことができる。
【００５０】
また、複数の棒状のポインタ４５の一部または全部にかえて、面状のポインタ４６を用いてもよい（図４（ｃ）参照）。処理回路３５は、面状のポインタ４６を自動的に移動させることによっても、コリメータ１３の面上における撮影範囲４０の領域をユーザに提示することができる。
【００５１】
なお、処理回路３５またはユーザは、撮影実行時には、撮影の妨げにならないように、ポインタ４５および４６をコリメータ１３に設定された撮影範囲４０から離れた位置に移動させておくとよい。
【００５２】
図５は、提示部としてタッチパネル４７を備えたコリメータ１３の一例を示す正面図である。
【００５３】
図５に示すように、提示部はタッチパネル４７により構成されてもよい。タッチパネル４７は、画像を表示するためのディスプレイおよび入力を受け付けるためのタッチセンサを有する。
【００５４】
提示部がタッチパネル４７により構成される場合、タッチパネル４７は、発光装置４１および画像表示装置４３の少なくとも一方の機能を備える。ユーザは、自らの指やペン状の入力デバイスなどを介してタッチパネル４７のタッチセンサに対して入力操作を行う。また、この場合、処理回路３５は、撮影範囲４０以外の領域に、たとえば撮影条件、ガンマ線検出器１１および１２の近接動作指示や離反動作指示、天板２４の移動指示等の入力を受け付けるためのソフトキー４８を表示させてもよい。
【００５５】
一般に、動態検査で放射性医薬品が被検体に投与される前に撮像範囲の位置決めが必要である場合は、パーシスト画像を利用することはできず、位置決めが難しい。また、注目する臓器を詳細に撮像するためにガンマ線検出器上の一部分を拡大して収集する拡大撮影を行う場合や、半導体検出器などの視野が狭いガンマ線検出器が用いられる場合も、位置決めが難しい。
【００５６】
一方、以上説明した提示部を面上に設けられたコリメータ１３によれば、ユーザは、ガンマ線検出器１１と被検体Ｐの位置を直接目視しながら、精度良く撮影範囲４０の位置決めを行なうことができる。
【００５７】
（第２の実施形態）
第２の実施形態に係る核医学診断装置１は、コリメータ１３の面上でユーザが撮影範囲４０を設定するための入力部を備える。
【００５８】
図６は、入力部として移動可能な棒状ポインタ４５Ａを複数備えたコリメータ１３の一例を示す説明図である。
【００５９】
入力部としてコリメータ１３の面上で移動可能な棒状のポインタ４５Ａを複数設ける場合、ユーザは、まず、コリメータ１３を被検体Ｐに近づける。次に、ユーザは、被検体Ｐの撮影部位５０を目視しながら、ポインタ４５Ａを移動させてコリメータ１３の面上における撮影範囲４０を調整し、たとえばコンソール３の入力回路３１を介して決定指示を入力する。そして、処理回路３５は、この決定指示を受けて、現在のポインタ４５Ａの位置に対応する位置を撮影範囲４０に設定する。
【００６０】
ユーザは、コリメータ１３を被検体Ｐに近づけて、被検体Ｐの撮影部位５０を直接目視しながら棒状のポインタ４５Ａを移動させるだけで、たとえば拡大撮影をする場合や視野の狭い検出器を用いる場合であっても、容易かつ直感的に撮影範囲４０を設定することができ、精度良く撮影範囲４０の位置決めを行なうことができる。
【００６１】
なお、図４（ｃ）に示す変形例と同様に、棒状のポインタ４５Ａにかえて図示しない面状のポインタを用いてもよい。また、処理回路３５またはユーザは、撮影実行時には、撮影の妨げにならないように、ポインタ４５Ａをコリメータ１３に設定された撮影範囲４０から離れた位置に移動させておくとよい。
【００６２】
図７は、入力部としてタッチパネル４７を備えたコリメータ１３の一例を示す正面図である。
【００６３】
図７に示すように、入力部はタッチパネル４７により構成されてもよい。タッチパネル４７は、画像を表示するためのディスプレイおよび入力を受け付けるためのタッチセンサを有する。
【００６４】
入力部がタッチパネル４７により構成される場合、ユーザは、タッチパネル４７を介してコリメータ１３の面上で直接に撮影範囲４０を設定してもよい。この場合も、棒状のポインタ４５Ａを用いる場合と同様に、ユーザは容易かつ直感的に撮影範囲４０を設定することができ、精度良く撮影範囲４０の位置決めを行なうことができる。
【００６５】
また、入力部がタッチパネル４７により構成される場合、タッチパネル４７は、提示部の機能を備えてもよい。また、この場合、処理回路３５は、撮影範囲４０以外の領域に、たとえば撮影条件やガンマ線検出器１１および１２の近接動作指示や離反動作指示、天板２４の移動指示等の入力を受け付けるためのソフトキー４８を表示させてもよい（図５参照）。
【００６６】
以上説明した入力部を面上に設けられたコリメータ１３によれば、ユーザは、ガンマ線検出器１１と被検体Ｐの位置を直接目視しながら、容易かつ直感的に撮影範囲４０を設定することができ、精度良く撮影範囲４０の位置決めを行なうことができる。
【００６７】
また、第１実施形態に係る提示部と第２実施形態に係る入力部は、共通する構成が複数の機能を有することにより、または異なる構成を備えることにより、組み合わせて利用されてもよい。たとえば、核医学診断装置１は、タッチパネル４７を提示部および入力部として備えるとともに、図６に示すポインタ４５Ａを備えてもよい。
【００６８】
図８は、操作者による撮影条件等の入力を受け付ける第２の入力部６０について説明するための図である。
【００６９】
第１実施形態に係る核医学診断装置１および第２実施形態に係る核医学診断装置１のいずれも、図８に示す第２の入力部６０を備えてもよい。第２の入力部６０は、たとえばコリメータ１３の枠体１３ａや、ガンマ線検出器１１の側面などに設けられる（図８参照）。核医学診断装置１が第２の入力部６０を備える場合、ユーザは、撮影範囲４０の位置決めを行った後、コンソール３まで移動することなく、第２の入力部６０を介して容易に撮影条件、ガンマ線検出器１１および１２の近接動作指示や離反動作指示、天板２４の移動指示等を入力することができる。
【００７０】
以上説明した少なくとも１つの実施形態によれば、ユーザがガンマ線検出器１１および１２と被検体Ｐの位置を目視しながら精度良く撮影範囲４０の位置決めを行なうことができるよう支援することができる。
【００７１】
なお、本実施形態における発光装置４１、画像表示装置４３、ポインタ４５および４６ならびにタッチパネル４７は、特許請求の範囲における提示部の一例である。また、本実施形態におけるポインタ４５Ａおよびタッチパネル４７は、特許請求の範囲における入力部の一例である。
【００７２】
なお、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７３】
１…核医学診断装置
１３…コリメータ
１３ａ…枠体
１４…コリメータ
３２…ディスプレイ
４０…撮影範囲
４４…医用画像
４５、４５Ａ、４６…ポインタ
４７…タッチパネル
６０…第２の入力部
【図１】
2019020321.tif 000003
【図２】
2019020321.tif 000004
【図３】
2019020321.tif 000005
【図４】
2019020321.tif 000006
【図５】
2019020321.tif 000007
【図６】
2019020321.tif 000008
【図７】
2019020321.tif 000009
【図８】
2019020321.tif 000010